(57)【要約】【課題】止水目地材による確実な止水効果を得ることができる浴室床パンの防水接続構造を提供する。【解決手段】浴室床パン３の端部に形成した凹状溝部３１と壁パネル４との間に介在され、その壁パネル４を載置する載置部７１１，７１２を有する壁パネル側ジョイナー７１と、凹状溝部３１とドア枠５１との間に介在され、そのドア枠５１を載置する載置部を有するドア枠側ジョイナーと、両ジョイナー７１の内側の載置部７１１よりも洗い場１側の端縁と浴室床パン３の端縁との間を止水する目地材本体７６１を有するとともに、前記両端縁間に挿入される挿入片７６２を有する止水目地材７６とを備える。そして、前記両ジョイナー７１の洗い場１側の端縁に係合部７ｇを設ける一方、止水目地材７６の挿入片７６２の下端に、その挿入片７６２を挿入した際に前記係合部７ｇに係止される係止部７６４を設けている。【選択図】図２
2011153513.tif 000002
【特許請求の範囲】
【請求項１】
浴室床パンの端部に形成した凹状溝部に対し壁パネル又はドアの枠体を防水した状態で接続する浴室床パンの防水接続構造であって、
前記凹状溝部と前記壁パネル又はドアの枠体との間に介在され、その壁パネル又はドアの枠体が載置される載置部を有する載置接合部品と、
前記載置接合部品の載置部よりも洗い場側の端縁と前記浴室床パンの端縁との間を止水する目地材本体を有しているとともに、この目地材本体より下方に突設され、前記両端縁間に挿入される挿入片を有する止水目地材と、
を備えており、
前記載置接合部品の洗い場側の端縁には係合部が設けられている一方、
前記止水目地材の挿入片には、その挿入片を挿入した際に前記係合部に係止される係止部が設けられていることを特徴とする浴室床パンの防水接続構造。
【請求項２】
前記載置接合部品の載置部は、前記壁パネルと前記ドアの枠体とに応じた形状に変更されている請求項１に記載の浴室床パンの防水接続構造。
【請求項３】
前記載置接合部品には、前記載置部に載置された前記壁パネル又はドアの枠体をシールするシール材が設けられている請求項１又は請求項２に記載の浴室床パンの防水接続構造。
【請求項４】
前記載置接合部品及び前記シール材は、共に押し出し成形により成形されるものであり、その押し出し成形時に当該載置接合部品及びシール材が一体的に成形されてなる請求項３に記載の浴室床パンの防水接続構造。
【請求項５】
前記壁パネルの端部、又は壁パネルの端部同士の継ぎ目、若しくは前記ドアの枠体の端部と壁パネルの端部との継ぎ目に対応する，前記凹状溝部と前記壁パネル又はドアの枠体との間には、前記載置部及び前記係合部を有する端部用載置接合部品が介在され、この端部用載置接合部品に対し前記載置接合部品の端部が接合されている請求項１〜請求項４のいずれか１つに記載の浴室床パンの防水接続構造。
【請求項６】
前記端部用載置接合部品の載置部には、前記壁パネル又はドアの枠体をシールするシール材が設けられている請求項５に記載の浴室床パンの防水接続構造。
【請求項７】
前記止水目地材は、前記浴室床パンの周方向全域に亘って切れ目なく連続的に設けられ、その浴室床パンの角部に対応するコーナー部が洗い場側向きに開く略Ｖ字状に切り欠かれている請求項５又は請求項６に記載の浴室床パンの防水接続構造。
【請求項８】
前記凹状溝部の洗い場側には、さらに下方に凹む凹状溝が設けられているとともに、
前記凹状溝に対応する前記載置接合部品の洗い場側端には下方に突出する突起が設けられており、
前記突起は、前記凹状溝に対し水密材を介して嵌挿されている請求項１〜請求項７のいずれか１つに記載の浴室床パンの防水接続構造。
【請求項９】
前記載置接合部品の載置部には、前記壁パネルの下端部を載置した際に凹状溝部に対し当該壁パネルの下端縁を位置決めするスペーサーが設けられており、
前記スペーサーは、前記壁パネルの下端縁付近より上方へ起立して当該壁パネルの裏面に接する起立片を備えている請求項１〜請求項８のいずれか１つに記載の浴室床パンの防水接続構造。
【請求項１０】
前記スペーサーは、
前記壁パネルに対しその上方へ隙間を存して設けられ、かつその隙間以上の前記壁パネルの上方への移動を規制する壁パネル用規制片と、
前記凹状溝部の反洗い場側の端縁に対しその下方へ隙間を存して設けられ、その隙間以上の前記スペーサーの上方への移動を規制するスペーサー用規制片と、
を備えている請求項９に記載の浴室床パンの防水接続構造。
【請求項１１】
前記スペーサーは、前記壁パネルの周方向にほぼ均等な間隔で複数設けられている請求項９又は請求項１０に記載の浴室床パンの防水接続構造。
【発明の詳細な説明】
【技術分野】
【０００１】
本発明は、浴室の床の敷設領域に敷設される浴室床パンの防水接続構造に関し、詳しくは、浴室床パンと壁パネル又はドアの枠体との間を防水した状態で接続するようにしたものに係る。
【背景技術】
【０００２】
従来より、この種浴室床パンの防水接続構造としては、浴室床パンの端部に形成した凹状溝部に対し壁パネルを嵌合した状態で、浴室床パンと壁パネルとを接続するようにしたものが知られている（例えば、特許文献１参照）。そして、浴室床パンの端縁と壁パネルの洗い場側の端縁との間に、ひも状軟質材を嵌装するとともに、有蓋パッキンを覆設することで、止水処理を施している。
【先行技術文献】
【特許文献】
【０００３】
【特許文献１】特開２００６−２３３４６０号公報
【発明の概要】
【発明が解決しようとする課題】
【０００４】
ところが、前記従来のものでは、浴室床パンの端縁と壁パネルの洗い場側の端縁との間に止水処理を施すに当たり、ひも状軟質材といったシール材と、有蓋パッキンといった防水目地材とにより床パンの端縁と壁パネルの洗い場側の端縁との間を止水しているが、この止水目地材は、床パンの端縁と壁パネルの洗い場側の端縁との間に単に差し込んでいるに過ぎない。そのため、止水目地材が経時的に浮いてくるおそれがあり、止水目地材による確実な止水効果が危惧される。
【０００５】
本発明は、かかる点に鑑みてなされたものであり、その目的とするところは、止水目地材による確実な止水効果を得ることができる浴室床パンの防水接続構造を提供することにある。
【課題を解決するための手段】
【０００６】
前記目的を達成するため、本発明では、浴室床パンの端部に形成した凹状溝部に対し壁パネル又はドアの枠体を防水した状態で接続する浴室床パンの防水接続構造を前提とする。更に、前記凹状溝部と前記壁パネル又はドアの枠体との間に介在され、その壁パネル又はドアの枠体が載置される載置部を有する載置接合部品と、前記載置接合部品の載置部よりも洗い場側の端縁と前記浴室床パンの端縁との間を止水する目地材本体を有しているとともに、この目地材本体より下方に突設され、前記両端縁間に挿入される挿入片を有する止水目地材と、を備える。そして、前記載置接合部品の洗い場側の端縁に係合部を設けている一方、前記止水目地材の挿入片に、その挿入片を挿入した際に前記係合部に係止される係止部を設けている。
この特定事項により、載置接合部品の載置部よりも洗い場側の端縁と浴室床パンの端縁との間に挿入された止水目地材の挿入片には、前記載置接合部品の洗い場側の端縁に設けられた係合部に対し、当該挿入片を挿入した際に係止される係止部が設けられている。
これにより、係止部が載置接合部品に簡単に形成され、止水目地材の経時的な浮きを効果的に防止し、止水目地材による確実な止水効果を得ることが可能となる。
【０００７】
また、前記載置接合部品の載置部は、前記壁パネルと前記ドアの枠体とに応じた形状に変更されていることが好ましい。この場合には、載置接合部品の載置部を壁パネルとドアの枠体とに応じた形状に変更すれば、壁パネル及びドアの枠体が載置接合部品の載置部に円滑に載置される。これにより、浴室床パンの凹状溝部の形状を壁パネル及びドアの枠体に応じて変更する必要がなく、壁パネル及びドアの枠体を浴室床パンの凹状溝部に対し円滑に接地させることができる。
【０００８】
また、前記載置接合部品に、前記載置部に載置された前記壁パネル又はドアの枠体をシールするシール材が設けられていることが好ましい。この場合には、載置接合部品の載置部に対する壁パネル又はドアの枠体の水密性をシール材によって効果的に高めることができる。
【０００９】
また、前記載置接合部品及び前記シール材は、押し出し成形により成形されるものであり、その押し出し成形時に当該載置接合部品及びシール材が一体的に成形されてなることが好ましい。この場合には、載置接合部品にシール材を接着材などにより接着する必要がなく、載置接合部品にシール材が接着された一体成型品を安価でかつ簡単に得ることができる。
【００１０】
また、前記壁パネルの端部、又は壁パネルの端部同士の継ぎ目、若しくは前記ドアの枠体の端部又はドアの枠体の端部と壁パネルの端部との継ぎ目に対応する，前記凹状溝部と前記壁パネル又はドアの枠体との間に、前記載置部及び前記係合部を有する端部用載置接合部品が介在され、この端部用載置接合部品に対し前記載置接合部品の端部が接合されていることが好ましい。この場合には、端部用載置接合部品が、浴室のコーナー部などでの壁パネル同士の継ぎ目やドアの枠体と壁パネルとの継ぎ目に対応する，前記凹状溝部と前記壁パネル又はドアの枠体との間に介在されているので、凹状溝部に対する壁パネル又はドアの枠体のシール性を端部用載置接合部品によって途切れさせることなく円滑に確保することができる。しかも、端部用載置接合部品にも載置接合部品と同様の載置部が設けられているので、壁パネル同士の継ぎ目やドアの枠体と壁パネルとの継ぎ目においても壁パネル又はドアの枠体を載置することができる。更に、端部用載置接合部品にも載置接合部品と同様の係合部が設けられているので、壁パネル同士の継ぎ目やドアの枠体と壁パネルとの継ぎ目においても止水目地材の下端の係止部が係止され、止水目地材による確実な止水効果を効果的に図ることができる。
【００１１】
また、前記端部用載置接合部品の載置部にも、前記壁パネル又はドアの枠体をシールするシール材が設けられていることが好ましい。この場合には、端部用載置接合部品の載置部に対する壁パネル又はドアの枠体の水密性をシール材によって効果的に高めることができる。
【００１２】
また、前記止水目地材は、前記浴室床パンの周方向全域に亘って切れ目なく連続的に設けられ、その浴室床パンの角部に対応するコーナー部が洗い場側向きに開く略Ｖ字状に切り欠かれていることが好ましい。この場合には、止水目地材は、洗い場のコーナー部においても途切れることなく周方向全域に亘って切れ目なく連続的に設けられているので、止水目地材による確実な止水効果をより一層図ることができる。
【００１３】
更に、前記凹状溝部の洗い場側に、さらに下方に凹む凹状溝が設けられているとともに、  前記凹状溝に対応する前記載置接合部品の洗い場側端に下方に突出する突起が設けられており、前記突起は、前記凹状溝に対し水密材を介して嵌挿されていることが好ましい。この場合には、凹状溝部の洗い場側の凹状溝に水密材を介して載置接合部品の洗い場側端の突起が嵌挿されているので、凹状溝部の洗い場側において載置接合部品との間でのより効果的な水密性を得ることができる。
【００１４】
また、前記載置接合部品の載置部に、前記壁パネルの下端部を載置した際に凹状溝部に対し当該壁パネルの下端縁を位置決めするスペーサーを設けており、前記スペーサーに、前記壁パネルの下端縁付近より上方へ起立して当該壁パネルの裏面に接する起立片を設けていることが好ましい。この場合には、壁パネルの下端縁付近より上方へ起立するスペーサーの起立片が壁パネルの裏面に接しているので、洗い場で使用者が飛び跳ねたり転倒したりした際の想定外の衝撃によって浴室床パンが瞬間的に撓んで載置接合部品の載置部に載置した壁パネルの下端縁を上方へ浮き上がらせて外方（壁パネルの裏面側）に離脱させてしまうといったことが確実に防止される。これにより、洗い場で生じた想定外の衝撃が効果的に抑制され、浴室床パンの端縁に対する壁パネルの下端縁の固定状態を強固に維持することができる。
【００１５】
また、前記スペーサーに、前記壁パネルに対しその上方へ隙間を存して設けられ、かつその隙間以上の前記壁パネルの上方への移動を規制する壁パネル用規制片と、前記凹状溝部の反洗い場側の端縁に対しその下方へ隙間を存して設けられ、その隙間以上の前記スペーサーの上方への移動を規制するスペーサー用規制片と、を備えていることが好ましい。
この場合には、洗い場で使用者が飛び跳ねたり転倒したりした際の想定外の衝撃によって浴室床パンが瞬間的に撓んで載置接合部品の載置部に載置した壁パネルの下端縁を上方へ浮き上がらせても、スペーサーの壁パネル用規制片によって壁パネルの下端縁との間の隙間以上の当該壁パネルの上方への浮き上がりが規制される。また、壁パネルが上方へ移動した際に壁パネル用規制片との当接によりスペーサーが上方へ移動しようとしても、凹状溝部の反洗い場側の端縁との間の隙間以上のスペーサーの上方への移動がスペーサー用規制片によって規制される。このため、洗い場で生じた想定外の衝撃が、スペーサーの壁パネル用規制片に壁パネルの下端縁が衝突するまでの間、及びスペーサーの載置接合部品用規制片が凹状溝部の反洗い場側の端縁に当接するまでの間に円滑に吸収され、スペーサーの壁パネル用規制片及び載置接合部品用規制片の当接によって十分に抑制される。これにより、洗い場で生じた想定外の衝撃がより効果的に抑制され、浴室床パンの端縁に対する壁パネルの下端縁の固定状態をより一層強固に維持することができる。
【００１６】
更に、前記スペーサーを、前記壁パネルの周方向にほぼ均等な間隔で複数設けていることが好ましい。この場合には、洗い場で生じた想定外の衝撃が周方向の広い範囲に亘って抑制され、浴室床パンの端縁に対する壁パネルの下端縁の固定状態を広範囲に亘って強固に維持することができる。
【発明の効果】
【００１７】
以上、要するに、載置接合部品の載置部よりも洗い場側の端縁と浴室床パンの端縁との間に挿通された止水目地材の下端に、前記載置接合部品の洗い場側の端縁に設けた係合部に対し、当該止水目地材を挿通した際に係止される係止部を設けることで、止水目地材の経時的な浮きを効果的に防止し、止水目地材による確実な止水効果を得ることができる。
【図面の簡単な説明】
【００１８】
【図１】本発明の実施の形態に係る浴室床パンの防水接続構造を用いた浴室の洗い場を一部切り欠いたコーナー部付近の斜視図である。
【図２】図１のコーナー部付近で切り欠いた壁パネルの斜視図である。
【図３】図１のコーナー部付近で切り欠いたドアの枠体の斜視図である。
【図４】壁パネルの周方向中央部付近で切断した浴室床パンの端部付近の断面図である。
【図５】ドアの枠体の周方向中央部付近で切断した浴室床パンの端部付近の断面図である。
【図６】本発明の実施の形態に係る浴室床パンの防水接続構造に用いられる浴室の洗い場において壁パネル側ジョイナーの端部を直線上につなぐ第１ジョイントケース付近の斜視図である。
【図７】本発明の実施の形態に係る浴室床パンの防水接続構造に用いられる浴室の洗い場において壁パネル側ジョイナーの端部同士を直線上につなぐ第２ジョイントケース付近の斜視図である。
【図８】図１の止水目地材、壁パネル及びドアの枠体を取り外した状態でコーナー部付近を切り欠いて示す第３ジョイントケース付近の斜視図である。
【図９】ジョイントケースの断面図である。
【図１０】本発明の実施の形態の変形例に係るスペーサーを取り付けた状態で壁パネル側ジョイナーを反浴室側から見た斜視図である。
【図１１】図１０のスペーサー付近で切断した浴室床パンの端部付近の断面図である。
【図１２】図１０のスペーサーを浴室側から見た斜視図である。
【図１３】図１０のスペーサーを反浴室側から見た斜視図である。
【発明を実施するための形態】
【００１９】
以下添付図面を参照しながら、本発明の実施の形態について説明し、本発明の理解に供する。なお、以下の実施の形態は、本発明を具体化した一例であって、本発明の技術的範囲を限定する性格のものではない。
【００２０】
図１〜図３において、１は本発明の実施の形態に係る浴室床パンの防水接続構造が適用される浴室の洗い場であって、この洗い場１の床２の敷設領域には、浴室床パン３が敷設されている。この洗い場１の周囲は、複数枚の壁パネル４とドア５（図５参照）とによって仕切られている。前記ドア５は、枠体としてのドア枠５１に対し開閉自在とされている。前記各壁パネル４及びドア枠５１は、浴室床パン３の周縁部に所定間隔おきに立設された支柱６（図６〜図８参照）に連結部材（図示せず）を介して固定されている。
【００２１】
前記浴室床パン３は、成形型により成形され、ＦＲＰ（繊維強化プラスチック）等の合成樹脂材よりなる。前記浴室床パン３の周縁部（端部）には凹状に凹む凹状溝部３１が形成されている。また、前記壁パネル４は、樹脂化粧鋼板４１の裏面に裏打材４２を貼り合わせて形成されている。この樹脂化粧鋼板４１の左右両端縁及びドア枠５１の左右両端縁には、背面側に折曲された折り曲げ部がそれぞれ形成されており、この両折り曲げ部が前記連結部材を介して前記支柱６に取り付けられている。この場合、互いに相隣なる壁パネル４，４の樹脂化粧鋼板４１の左右両端縁同士の間、及び互いに相隣なる壁パネル４の樹脂化粧鋼板４１及びドア枠５１の端縁同士の間には、抜け止め用の返しを有する壁用乾式目地材（図示せず）が打ち込まれている。この壁用乾式目地材は、後述する止水目地材７６による止水が行われる前に打ち込まれる。つまり、互いに相隣なる壁パネル４，４の樹脂化粧鋼板４１の左右両端縁同士の間、又は互いに相隣なる壁パネル４の樹脂化粧鋼板４１及びドア枠５１の端縁同士の間に壁用乾式目地材を打ち込んで当該端縁同士の間を止水してから、止水目地材７６による止水が行われる。
【００２２】
前記浴室床パン３の凹状溝部３１には、載置接合部品としての帯状のジョイナー７が敷設されている。このジョイナー７は、前記壁パネル４の樹脂化粧鋼板４１の下端部が載置される壁パネル側ジョイナー７１と、前記ドア枠５１の内側縁５１１の下端部が載置されるドア枠側ジョイナー７２とを備え、前記壁パネル４が対応する部位とドア枠５１が対応する部位とで使い分けられている。この壁パネル側ジョイナー７１及びドア枠側ジョイナー７２は、共にＰＰ（ポリプロピレン）よりなる。
【００２３】
図４に示すように、前記壁パネル側ジョイナー７１は、その内外両端部位置（洗い場１側端部位置及び反洗い場１側端部位置）よりそれぞれ上方へ突出する一対の載置部７１１，７１２を備え、この各載置部７１１，７１２に前記壁パネル４の樹脂化粧鋼板４１の下端部を載置している。一方、前記ドア枠側ジョイナー７２は、その内端部（洗い場１側端部）より上方へ突出する載置部７２１を備え、この載置部７２１に前記ドア枠５１の内側縁５１１の下端部を載置している。つまり、壁パネル側ジョイナー７１の一対の載置部７１１，７１２と、ドア枠側ジョイナー７２の単一の載置部７２１とは、前記壁パネル４の樹脂化粧鋼板４１の下端部と前記ドア枠５１の内側縁５１１とに応じた形状に変更されている。そして、前記壁パネル側ジョイナー７１は、前記凹状溝部３１と前記壁パネル４の樹脂化粧鋼板４１の下端部との間に介在されている一方、前記ドア枠側ジョイナー７２は、前記凹状溝部３１と前記ドア枠５１の下端部との間に介在されている。
【００２４】
前記壁パネル側ジョイナー７１及び前記ドア枠側ジョイナー７２の内側の載置部７１１，７２１には、それぞれの内側端（洗い場１側端）より上方へ突設された突片７１３，７２３が一体的に設けられている。また、前記壁パネル側ジョイナー７１及び前記ドア枠側ジョイナー７２の内外両端部位置には、それぞれ下方に突出する内外一対の脚部７ａ，７ｂが一体的に設けられている。そして、前記壁パネル側ジョイナー７１及び前記ドア枠側ジョイナー７２は、それぞれ脚部７ａ，７ｂを介して前記凹状溝部３１に接地されている。
【００２５】
前記凹状溝部３１の内側端部には、さらに下方へ凹む凹状溝３１１が設けられている。この凹状溝３１１に対応する，前記壁パネル側ジョイナー７１及び前記ドア枠側ジョイナー７２の内側端（洗い場１側端）つまり内側の脚部７ａには、その下端より内側に延びた後に下方へ突出する突起７ｃが一体的に設けられている。この突起７ｃは、前記凹状溝３１１内に充填された水密材としてのコーキング剤７ｄを介して当該凹状溝３１１に嵌挿され、その凹状溝３１１に対しコーキング剤７ｄを介して水密状にシールされている。
【００２６】
前記壁パネル側ジョイナー７１の内外の載置部７１１，７１２同士の間には、その内側の載置部７１１寄りから上方へ向かって突出するシール材７１４が付設されている。また、前記壁パネル側ジョイナー７１の外側の載置部７１２の上面にも、シール材７１５が付設されている。更に、前記壁パネル側ジョイナー７１の突片７１３にも、斜め外方向きに上方へ突出するシール材７１６が付設されている。この各シール材７１４〜７１６は、それぞれ弾性変形可能な高分子ゲル（例えばオレフィン系エラストマー）よりなり、各載置部７１１，７１２に前記壁パネル４の樹脂化粧鋼板４１の下端部が載置された際の自重により内側の載置部７１１寄りのシール材７１４及び外側の載置部７１２上面のシール材７１５がそれぞれ弾性変形して当該壁パネル４の樹脂化粧鋼板４１の下端部に対し密着してシールする。また、前記壁パネル側ジョイナー７１の突片７１３のシール材７１６は、各載置部７１１，７１２に前記壁パネル４の樹脂化粧鋼板４１の下端部が載置された際に押し倒されて弾性変形し、当該壁パネル４の樹脂化粧鋼板４１の下端部に対し側方から密着してシールする。そして、前記壁パネル側ジョイナー７１及び各シール材７１４〜７１６は、図示しない押し出し成形型により押し出し成形されて一体的に構成されてなる。
【００２７】
また、図４中７５は、壁パネル側ジョイナー７１の各載置部７１１，７１２に前記壁パネル４の樹脂化粧鋼板４１の下端部を載置した際に凹状溝部３１に対し当該壁パネル４の樹脂化粧鋼板４１の下端縁を位置決めして壁パネル４を動き止めするためのスペーサーであって、凹状溝部３１の反洗い場１側の端縁に対しその周方向所定間隔おき、例えば２００ｍｍのピッチごとに装着される。なお、スペーサー７５の装着ピッチは、これに限定されるものではなく、壁パネルのサイズによっても異なる。
【００２８】
一方、図５に示すように、前記ドア枠側ジョイナー７２の載置部７２１の反洗い場１側寄りには、斜め外方向きに上方へ突出する中央突出片７２５が一体的に設けられている。また、前記中央突出片７２５よりも外方側となるドア枠側ジョイナー７２の反洗い場１側の端縁には、上方へ突出する外側突出片７２４が一体的に設けられている。この外側突出片７２４と前記凹状溝部３１の反洗い場１側の端縁との間には、コーキング剤７ｆが充填されている。前記外側突出片７２４と前記凹状溝部３１の反洗い場１側の端縁との間には、ドア枠５１の内側縁５１１よりも外側位置において下方へ突出する突出片５１２が挿通され、その突出片５１２の下端を前記凹状溝部３１の段部に接地させた状態で前記外側突出片７２４と前記凹状溝部３１の反洗い場１側の端縁とに対しコーキング剤７ｆを介して水密状にシールしている。更に、前記ドア枠側ジョイナー７２の突片７２３には、斜め外方向きに上方へ突出するシール材７２６が付設されている。このシール材７２６は、弾性変形可能な高分子ゲル、例えば、オレフィン系エラストマーよりなり、前記ドア枠側ジョイナー７２の載置部７２１に前記ドア枠５１の内側縁５１１が載置された際に弾性変形し、その内側縁５１１に対し密接してシールしている。そして、前記ドア枠側ジョイナー７２及びシール材７２６は、図示しない押し出し成形型により押し出し成形されて一体的に構成されてなる。なお、図５中における５１４は、ドア５の支持具５２を支持するための支持用突起である。また、５１５は、ドア枠５１に嵌装され、ドア５を外側からシールするドア用シール材である。
【００２９】
また、前記凹状溝部３１の洗い場１側の端縁と、前記壁パネル側ジョイナー７１及び前記ドア枠側ジョイナー７２の洗い場１側の端縁つまり突片７１３，７２３との間には、凹状溝部３１の洗い場１側の端縁と前記スペーサー７５により位置決めされた壁パネル４の樹脂化粧鋼板４１の下端部及びドア枠５１の内側縁５１１との間を周方向全域に亘って止水する帯状の止水目地材７６が挿入されている。この止水目地材７６は、前記凹状溝部３１の洗い場１側の端縁と前記壁パネル４の樹脂化粧鋼板４１の下端部及びドア枠５１の内側縁５１１との間に跨ってシールする目地材本体７６１と、この目地材本体７６１の内外方向略中間位置より下方に突出し、前記凹状溝部３１の洗い場１側の端縁と前記壁パネル側ジョイナー７１及び前記ドア枠側ジョイナー７２の突片７１３，７２３との間に挿入される挿入片７６２と、この挿入片７６２より内外方向にそれぞれ突出し、前記凹状溝部３１の洗い場１側の端縁並びに壁パネル４の樹脂化粧鋼板４１の下端部及びドア枠５１の内側縁５１１をそれぞれシールする複数のシール片７６３，…とを備えている。前記目地材本体７６１及び各シール片７６３は、アクリル系エラストマー（軟質アクリル）により成形されているのに対し、挿入片７６２は、ＡＢＳ樹脂（アクリロニトリル−ブタジエン−スチレン共重合合成樹脂）により成形されている。この目地材本体７６１、挿入片７６２及び各シール片７６３は、図示しない押し出し成形型により同時に押し出し成形されて一体的に構成されてなる。
【００３０】
そして、前記挿入片７６２の下端に対応する前記壁パネル側ジョイナー７１及び前記ドア枠側ジョイナー７２の洗い場１側の端縁には、前記内側の載置部７１１，７２１の下面つまり前記突片７１３，７２３の下端面を略水平に形成した係合部７ｇ，７ｇが設けられている。前記止水目地材７６の挿入片７６２は、前記突片７１３，７２３の内側面に沿って延び、その下端に返し状の係止部７６４を備えている。この係止部７６４は、前記凹状溝部３１の洗い場１側の端縁と前記突片７１３，７２３との間に止水目地材７６を挿通した際に前記係合部７ｇに係止される。そして、前記止水目地材７６は、前記浴室床パン３の周方向全域つまり壁パネル４及びドア枠５１と接する部位の全域に亘って切れ目なく連続的に設けられている。また、前記浴室床パン３の角部に対応する前記止水目地材７６のコーナー部は、そのコーナー部の内側での目地材本体７６１同士の重なり合いを回避する上で当該コーナー部における目地材本体７６１を平面視で洗い場１側に略９０°開く略Ｖ字状に切り欠いている。
【００３１】
また、図６に示すように、前記壁パネル４の幅方向端部に対応する，当該壁パネル４と前記凹状溝部３１との間には、端部用載置接合部品としての直線状の第１ジョイントケース８１が介設されている。この第１ジョイントケース８１の一端（図６では左端）には、壁パネル側ジョイナー７１の端部が接合されている。また、図７に示すように、互いに相隣なる前記壁パネル４，４の端部同士の継ぎ目に対応する，当該両壁パネル４，４と前記凹状溝部３１との間には、端部用載置接合部品としての直線状の第２ジョイントケース８２が介設されている。この第２ジョイントケース８２の両端には、互いに相隣なる壁パネル４，４に沿って設けられた壁パネル側ジョイナー７１，７１の端部がそれぞれ接合されている。また、図８に示すように、浴室床パン３の角部（洗い場１のコーナー部）において前記壁パネル４とドア枠５１との端部同士の継ぎ目に対応する，当該壁パネル４及びドア枠５１と前記凹状溝部３１との間には、端部用載置接合部品としての略Ｌ字状の第３ジョイントケース８３が介設されている。この第３ジョイントケース８２の両端には、壁パネル４に沿って設けられた壁パネル側ジョイナー７１の端部と、ドア枠５１に沿って設けられたドア枠側ジョイナー７２の端部とがそれぞれ水密状に接合されている。前記各ジョイントケース８１〜８３は、ＡＢＳ樹脂により成形されている。
【００３２】
図９に示すように、前記各ジョイントケース８１〜８３には、それぞれの内端部（洗い場１側端部）より上方へ突出する載置部８ａ，８ａが一体的に設けられている。この各載置部８ａは、前記壁パネル側ジョイナー７１及びドア枠側ジョイナー７２の内側の載置部７１１，７２１と同じ位置で上方へ突出しかつ同一の機能を有している。また、前記各ジョイントケース８１〜８３には、それぞれの内側端より上方へ突設された突片８ｂが一体的に設けられている。この突片８ｂは、前記壁パネル側ジョイナー７１及び前記ドア枠側ジョイナー７２の突片７１３，７２３と同一の形状でかつ同一の機能を有している。また、前記各ジョイントケース８１〜８３には、その突片８ｂの下端に対応する各ジョイントケース８１〜８３の洗い場１側の端縁の載置部８ａの下面つまり突片８ｂの下端面を略水平に形成した係合部８ｃが一体的に設けられている。この係合部８ｃは、前記壁パネル側ジョイナー７１及び前記ドア枠側ジョイナー７２の係合部７ｇ，７ｇと同一の形状でかつ同一の機能を有している。また、前記各ジョイントケース８１〜８３の端縁には、前記壁パネル側ジョイナー７１及び前記ドア枠側ジョイナー７２の脚部７ａ，７ｂ間に嵌合される突片（図示せず）が一体的に設けられている。そして、前記壁パネル側ジョイナー７１及び前記ドア枠側ジョイナー７２は、前記各ジョイントケース８１〜８３を先に前記凹状溝部３１に接地させた状態で、この各ジョイントケース８１〜８３の上に被せるようにして凹状溝部３１に接地される。このとき、各ジョイントケース８１〜８３の突片が各ジョイントケース８１〜８３の脚部７ａ，７ｂ間に嵌合される。
【００３３】
更に、前記各ジョイントケース８１〜８３には、前記脚部８ｄの内側の下端位置より内側に延びた後に下方へ突出する突起８ｅが一体的に設けられている。この突起８ｅは、前記壁パネル側ジョイナー７１及びドア枠側ジョイナー７２の突起７ｃと同一の形状でかつ同一の機能を有している。そして、前記各ジョイントケース８１〜８３の外側縁には、長手方向中央部を最も高い位置に設定した段差状の段差壁８ｆが一体的に設けられている。この段差壁８ｆは、前記突片８ｂとの間に充填されるコーキング剤（図示せず）の充填量の目安とされるものである。このコーキング剤は、段差壁８ｆの最も高い位置まで充填される。
【００３４】
したがって、上記実施の形態では、浴室床パン３の凹状溝部３１に対しコーキング剤７ｄによって壁パネル側ジョイナー７１及びドア枠側ジョイナー７２を密着させて接地させ、その壁パネル側ジョイナー７１に対し高分子ゲルよりなる各シール材７１４〜７１６によって壁パネル４の樹脂化粧鋼板４１の下端部が水密状に接地しているとともに、前記ドア枠側ジョイナー７２に対し高分子ゲルよりなるシール材７２６及びコーキング剤７ｆによってドア枠５１の内側縁５１１及び突出片５１２の下端部が水密状に接地している。
その場合、浴室床パン３の凹状溝部３１の洗い場１側の端縁と、壁パネル側ジョイナー７１及びドア枠側ジョイナー７２の洗い場１側の端縁つまり突片７１３，７２３との間に挿通された止水目地材７６の挿入片７６２の下端には、壁パネル側ジョイナー７１及びドア枠側ジョイナー７２の突片７１３，７２３下端面の係合部７ｇ，７ｇ、並びに、各ジョイントケース８１〜８３の突片８ｂ下端面の係合部８ｃに対し、当該止水目地材７６を挿通した際に係止される係止部７６４が設けられている。
これにより、壁パネル側ジョイナー７１及びドア枠側ジョイナー７２の突片７１３，７２３下端面の係合部７ｇ，７ｇ、並びに、各ジョイントケース８１〜８３の突片８ｂ下端面の係合部８ｃが簡単に形成され、止水目地材７６の経時的な浮きを効果的に防止し、止水目地材７６による確実な止水効果を得ることができる。
【００３５】
また、壁パネル側ジョイナー７１の一対の載置部７１１，７１２と、ドア枠側ジョイナー７２の単一の載置部７２１とは、前記壁パネル４の樹脂化粧鋼板４１の下端部と前記ドア枠５１の内側縁５１１とに応じた形状に変更されているので、壁パネル側ジョイナー７１及びドア枠側ジョイナー７２の載置部を壁パネル４の樹脂化粧鋼板４１の下端部とドア枠５１の内側縁５１１とに応じた形状に変更すれば、壁パネル４の樹脂化粧鋼板４１の下端部が壁パネル側ジョイナー７１の載置部７１１，７１２に、ドア枠５１の内側縁５１１がドア枠側ジョイナー７２の載置部７２１にそれぞれ円滑に載置される。これにより、浴室床パン３の凹状溝部３１の形状を壁パネル４の樹脂化粧鋼板４１の下端部及びドア枠５１の内側縁５１１に応じて変更する必要がなく、壁パネル４の樹脂化粧鋼板４１の下端部及びドア枠５１の内側縁５１１を凹状溝部３１に対し円滑に接地させることができる。
【００３６】
また、壁パネル側ジョイナー７１の内外の載置部７１１，７１２同士の間、壁パネル側ジョイナー７１の外側の載置部７１２の上面、及び壁パネル側ジョイナー７１の突片７１３に、載置部７１１，７１２に載置された壁パネル４の樹脂化粧鋼板４１の下端部をシールするシール材７１４〜７１６がそれぞれ付設されている一方、ドア枠側ジョイナー７２の突片７２３に、載置部７２１に載置されたドア枠５１の内側縁５１１をシールするシール材７２６が付設されているので、壁パネル側ジョイナー７１の載置部７１１，７１２及びドア枠側ジョイナー７２の７２１に対する壁パネルの樹脂化粧鋼板４１の下端部及びドア枠５１の内側縁５１１の水密性をシール材７１４〜７１６，７２６によって効果的に高めることができる。
【００３７】
また、壁パネル側ジョイナー７１及び各シール材７１４〜７１６は、押し出し成形型により押し出し成形されて一体的に構成されてなるとともに、ドア枠側ジョイナー７２及びシール材７２６も押し出し成形型により押し出し成形されて一体的に構成されてなるので、壁パネル側ジョイナー７１及びドア枠側ジョイナー７２にシール材７１４〜７１６，７２６を接着材などにより接着する必要がなく、壁パネル側ジョイナー７１及びドア枠側ジョイナー７２にシール材７１４〜７１６，７２６が接着された一体成型品を安価でかつ簡単に得ることができる。
【００３８】
また、壁パネル４の幅方向端部に対応する，当該壁パネル４と凹状溝部３１との間に、第１ジョイントケース８１が介設され、この第１ジョイントケース８１の一端に壁パネル側ジョイナー７１の端部が接合されている。また、互いに相隣なる壁パネル４，４の端部同士の継ぎ目に対応する，当該両壁パネル４，４と凹状溝部３１との間に、第２ジョイントケース８２が介設され、この第２ジョイントケース８２の両端に壁パネル側ジョイナー７１，７１の端部がそれぞれ接合されている。更に、浴室床パン３の角部（洗い場１のコーナー部）において壁パネル４とドア枠５１との端部同士の継ぎ目に対応する，当該壁パネル４及びドア枠５１と凹状溝部３１との間に、第３ジョイントケース８３が介設され、この第３ジョイントケース８２の両端に壁パネル側ジョイナー７１の端部及びドア枠側ジョイナー７２の端部がそれぞれ水密状に接合されている。
これにより、凹状溝部３１に対する壁パネル４の樹脂化粧鋼板４１の下端部及びドア枠５１の内側縁５１１のシール性を第１〜第３ジョイントケース８１〜８３によって途切れさせることなく円滑に確保することができる。
しかも、前記第１〜第３ジョイントケース８１〜８３にも壁パネル側ジョイナー７１及びドア枠側ジョイナー７２の内側の載置部７１１，７２１と同一の形状でかつ同一の機能を有する載置部８ａが設けられているので、壁パネル４，４同士の継ぎ目やドア枠５１と壁パネル４との継ぎ目においても壁パネル４又はドア枠５１を載置することができる。
更に、前記第１〜第３ジョイントケース８１〜８３にも壁パネル側ジョイナー７１及びドア枠側ジョイナー７２の係合部７ｇと同一の形状でかつ同一の機能を有する係合部８ｃが設けられているので、壁パネル４，４同士の継ぎ目やドア枠５１と壁パネル４との継ぎ目においても止水目地材７６の挿入片７６２下端の係止部７６４が係止され、止水目地材７６による確実な止水効果を効果的に図ることができる。
【００３９】
また、前記第１〜第３ジョイントケース８１〜８３にも、段差壁８ｆと突片８ｂとの間における段差壁８ｆの最も高い位置までコーキング剤が充填されているので、壁パネル４の折り曲げ部と連結部材との間、及び互いに相隣なる一対の壁パネル４，４の折り曲げ部同士の間、並びに互いに相隣なる壁パネル４及びドア枠５１の折り曲げ部同士の間にもれなくコーキング剤が行き渡る上、壁用乾式目地材の下端部にもコーキング剤が行き渡り、当該部材間（壁パネル４の折り曲げ部と連結部材との間、及び互いに相隣なる一対の壁パネル４，４の折り曲げ部同士の間、並びに互いに相隣なる壁パネル４及びドア枠５１の折り曲げ部同士の間）でのシール性を効果的に高めることができる。
【００４０】
また、前記止水目地材７６は、浴室床パン３の周方向全域に亘って切れ目なく連続的に設けられ、その浴室床パン３の角部に対応するコーナー部が洗い場１側向きに開く略Ｖ字状に切り欠かれているので、止水目地材７６による確実な止水効果をより一層図ることができる。しかも、止水目地材７６が浴室床パン３の周方向全域に亘って切れ目なく連続的に設けられていることにより、止水目地材７６の仕上がり外観を良好なものにすることができる。その上、浴室床パン３の角部に対応する止水目地材７６のコーナー部が洗い場１側向きに開く略Ｖ字状に切り欠かれていることにより、浴室床パン３の角部での止水目地材７６の位置決めがし易いものとなり、作業性を向上させることができる。
【００４１】
更に、凹状溝部３１の内側端部よりさらに下方へ凹む凹状溝３１１に、壁パネル側ジョイナー７１及びドア枠側ジョイナー７２並びに第１〜第３ジョイントケース８１〜８３の突起７ｃ，８ｅが、前記凹状溝３１１内に充填されたコーキング剤７ｄを介して水密状にシールされているので、凹状溝部３１に対する壁パネル側ジョイナー７１及びドア枠側ジョイナー７２並びに第１〜第３ジョイントケース８１〜８３の間でのより効果的な水密性を得ることができる。
【００４２】
次に、本発明の実施の形態の変形例を図１０〜図１３に基づいて説明する。
この変形例では、スペーサーの構成を変更している。なお、スペーサーを除くその他の構成は、前記実施の形態と同じであり、同一部分については同じ符号を付してその詳細な説明は省略する。
【００４３】
すなわち、図１０に示すように、スペーサー７７は、凹状溝部３１の反洗い場１側の端縁に対しその周方向にほぼ等間隔（例えば２００ｍｍのピッチ）で装着されている。このスペーサー７７は、図１１に示すように、凹状溝部３１の反洗い場１側の端縁を包み込むように装着される。具体的には、凹状溝部３１の反洗い場１側の端縁が外方（反洗い場１側）に突出したのちに上方に突出する断面略Ｌ字状に形成されている関係上、スペーサー７７は、前記端縁の洗い場１側面に内側（洗い場１側）から接する内側片７７１と、この内側片７７１の上端より外方へ延び、前記端縁の上面に上側から接する上側片７７２と、この上側片７７２の外端より下方へ延び、前記端縁の反洗い場１側面に外側から接する外側片７７３と、この外側片７７３の下端より内方へ延びる下側片７７４とを備えている。
【００４４】
そして、前記スペーサー７７の上側片７７２の内端部には、図１２及び図１３にも示すように、その内端部（洗い場１側端部）付近となる壁パネル４の下端縁付近より上方へ起立して当該壁パネル４の裏打材４２の裏面に内側面が接する起立片７７５が突設されている。この起立片７７５は、上側片７７２の幅方向（図１１では紙面手前奥方向）の略中央位置より上方へ延びるリブ７７５ａを備え、このリブ７７５ａによって、上方へ起立する起立片７７５を補強している。
【００４５】
また、前記スペーサー７７の内側片７７１には、壁パネル４の樹脂化粧鋼板４１の下端縁に対しその上方へ所定の隙間（例えば数ミリ）を存して対抗するように内方に突出する壁パネル用規制片７７６が設けられている。この壁パネル用規制片７７６は、壁パネル４の樹脂化粧鋼板４１の下端縁との間の隙間以上の当該樹脂化粧鋼板４１の上方への移動を規制している。更に、前記スペーサー７７の下側片７７４は、凹状溝部３１の反洗い場１側の端縁の下面に対しその下方へ所定の隙間（例えば数ミリ）を存して対抗する上面を有している。この下側片７７４は、樹脂化粧鋼板４１が上方へ移動した際に壁パネル用規制片７７６との当接によりスペーサー７７が上方へ移動しようとしても、凹状溝部３１の反洗い場１側の端縁の下面との間の隙間以上のスペーサー７７の上方への移動を規制するスペーサー用規制片としての機能を有している。
【００４６】
この場合、スペーサー７７の上側片７７２の内端部付近となる壁パネル４の下端縁付近より上方へ起立する起立片７７５の内側面が壁パネル４の裏打材４２の裏面に接しているので、洗い場１で使用者が飛び跳ねたり転倒したりした際の想定外の衝撃によって浴室床パン３が瞬間的に撓んで壁パネル側ジョイナー７１の各載置部７１１，７１２に載置した壁パネル４の樹脂化粧鋼板４１の下端部を上方へ浮き上がらせて外方（壁パネル４の裏面側）に離脱させてしまうといったことが確実に防止される。これにより、洗い場１で生じた想定外の衝撃が効果的に抑制され、浴室床パン３の端縁に対する樹脂化粧鋼板４１の下端部の固定状態を強固に維持することができる。
【００４７】
また、洗い場１で使用者が飛び跳ねたり転倒したりした際の想定外の衝撃によって浴室床パン３が瞬間的に撓んで壁パネル４の樹脂化粧鋼板４１の下端部を上方へ浮き上がらせても、スペーサー７７の壁パネル用規制片７７６によって樹脂化粧鋼板４１の下端部との間の隙間以上の当該樹脂化粧鋼板４１の上方への浮き上がりが規制される。また、樹脂化粧鋼板４１が上方へ移動した際に壁パネル用規制片７７６との当接によりスペーサー７７が上方へ移動しようとしても、凹状溝部３１の反洗い場１側の端縁の下面との間の隙間以上のスペーサー７７の上方への移動が下側片７７４（スペーサー用規制片）によって規制される。このため、洗い場１で生じた想定外の衝撃が、スペーサー７７の壁パネル用規制片７７６に樹脂化粧鋼板４１の下端部が衝突するまでの間、及びスペーサー７７の下側片７７４の上面が凹状溝部３１の反洗い場１側の端縁の下面に当接するまでの間に円滑に吸収され、スペーサー７７の壁パネル用規制片７７６及び下側片７７４の当接によって十分に抑制される。これにより、洗い場１で生じた想定外の衝撃がより効果的に抑制され、浴室床パン３の端縁に対する樹脂化粧鋼板４１の下端部の固定状態をより一層強固に維持することができる。
【００４８】
更に、スペーサー７７が凹状溝部３１の反洗い場１側の端縁に対しその周方向にほぼ等間隔で装着されているので、洗い場１で生じた想定外の衝撃が周方向の広い範囲に亘って抑制され、浴室床パン３の端縁に対する樹脂化粧鋼板４１の下端部の固定状態を広範囲に亘って強固に維持することができる。
【００４９】
なお、本発明は、上記実施の形態に限定されるものではなく、その他種々の変形例を包含している。例えば、上記実施の形態では、ＰＰ（ポリプロピレン）よりなる壁パネル側ジョイナー７１又はドア枠側ジョイナー７２と、それぞれ弾性変形可能な高分子ゲル（例えばＰＰゲル）よりなるシール材７１４〜７１６又は７２６とを、押し出し成形型により押し出し成形して一体的に構成したが、壁パネル側ジョイナー７１及びドア枠側ジョイナー７２の材料と、シール材７１４〜７１６の材料とはこれに限定されるものではない。例えば、壁パネル側ジョイナー及びドア枠側ジョイナーがＡＢＳ樹脂により成形されているとともに、各シール材が高分子ゲル（例えば、オレフィン系エラストマー）により成形されていてもよい。この場合には、各ジョイナーと各シール材とを同時に成形することができず、接着材による接合もできないため、両者を接合するには機械的に嵌合可能な構造に成形する必要がある。
【００５０】
また、上記実施の形態では、壁パネル４の幅方向端部に対応する，当該壁パネル４と凹状溝部３１との間に、第１ジョイントケース８１を介設し、また、互いに相隣なる壁パネル４，４の端部同士の継ぎ目に対応する，当該両壁パネル４，４と凹状溝部３１との間に、第２ジョイントケース８２を介設し、更に、浴室床パン３の角部において壁パネル４とドア枠５１との端部同士の継ぎ目に対応する，当該壁パネル４及びドア枠５１と凹状溝部３１との間に、第３ジョイントケース８３を介設したが、各ジョイントケースを廃止し、壁パネルの幅方向端部、互いに相隣なる壁パネルの端部同士の継ぎ目、及び浴室床パンの角部において壁パネルとドア枠との端部同士の継ぎ目がそれぞれ対応する部位において壁パネル側ジョイナー及びドア枠側ジョイナーを連続的に延ばしたり、そのジョイナーの端部同士を直接的に接合するようにしてもよい。
【符号の説明】
【００５１】
１      洗い場
３      浴室床パン
３１    凹状溝部
３１１  凹状溝
４      壁パネル
４１    樹脂化粧鋼板（壁パネル）
５１    ドア枠（枠体）
７１    壁パネル側ジョイナー（載置接合部品）
７１１，７１２  壁パネル側ジョイナーの載置部
７１４〜７１６  壁パネル側ジョイナーのシール材
７２    ドア枠側ジョイナー（載置接合部品）
７２１  ドア枠側ジョイナーの載置部
７２６  ドア枠側ジョイナーのシール材
７６    止水目地材
７６１  目地材本体
７６２  挿入片
７６４  係止部
７７    スペーサー
７７４  下側片（スペーサー用規制片）
７７５  起立片
７７６  壁パネル用規制片
７ｃ    突起
７ｄ    コーキング剤（水密材）
７ｇ    係合部
８１〜８３  第１〜第３ジョイントケース（端部用載置接合部品）
８ａ    各ジョイントケースの載置部
８ｃ    各ジョイントケースの係合部
【図１】
2011153513.tif 000003
【図２】
2011153513.tif 000004
【図３】
2011153513.tif 000005
【図４】
2011153513.tif 000006
【図５】
2011153513.tif 000007
【図６】
2011153513.tif 000008
【図７】
2011153513.tif 000009
【図８】
2011153513.tif 000010
【図９】
2011153513.tif 000011
【図１０】
2011153513.tif 000012
【図１１】
2011153513.tif 000013
【図１２】
2011153513.tif 000014
【図１３】
2011153513.tif 000015